(57)【要約】【課題】本発明は、小型化、かつ撹拌処理能力の優れた液状凝集剤注入撹拌装置を提供することを目的とするものである。【解決手段】本発明の液状凝集剤注入撹拌装置１は、円筒形状の撹拌用筒部２と、この撹拌用筒部２の被処理水の流入側に連通状に連結される吸水ホース継手管３と、吸水ホース継手管３内へ接続される液状凝集剤注入管４と、この撹拌用筒部２に連通される液状凝集剤収納タンク５と、前記撹拌用筒部２の流出側に設けられる排水ホース継手管１５とから構成されるものである。【選択図】        図１
2004358290.tif 000002
【特許請求の範囲】
【請求項１】
吸水ポンプによって吸水された被処理水に液状凝集剤を注入・撹拌する撹拌装置において、
吸水される被処理水の流速・水流を変化させる撹拌生起部が、その内部に設けられる撹拌用筒部と、
該撹拌用筒部の被処理水の流入側に連通状に接続され、かつ液状凝集剤注入管が連通状に設けられる吸水ホース継手管と、
注入用ポンプにより前記液状凝集剤注入管に液状凝集剤を供給する液状凝集剤収納タンクと、
前記撹拌用筒部の被処理水の流出側に連通状に接続され、かつ排水バルブが設けられた排水ホース継手管とを備える
ことを特徴とする液状凝集剤注入撹拌装置。
【請求項２】
前記液状凝集剤注入管を複数個設けた
ことを特徴とする請求項１記載の液状凝集剤注入撹拌装置。
【請求項３】
前記液状凝集剤収納タンクを複数個設けた
ことを特徴とする請求項１または２記載の液状凝集剤注入撹拌装置。
【発明の詳細な説明】
【０００１】
【発明の属する技術分野】
本発明は、液状凝集剤注入撹拌装置に関する。詳しくは土壌などを含んだ濁水の凝集処理に使用される凝集剤を注入して撹拌する装置に係るものである。
【０００２】
【従来の技術】
近年、下水道配管工事や河川改修工事によって排出される濁水の処理が問題となっている。特に沖縄県では赤土等流出防止条例が公布されるなど、水の濁りなどに対する規制がますます厳しくなっているのが現状である。
【０００３】
この水の濁りや色の原因である微細な懸濁物質は主としてコロイド粒子であるが、コロイド粒子は水中での沈降速度が非常に遅いという問題があるために、凝集剤を添加し撹拌することにより微細な懸濁物質を凝集して水との分離を早める方法が採られている。
【０００４】
ところで凝集剤を添加し撹拌する装置として例えば、図７に示すように、被処理液を吸引・撹拌する一次吸水ポンプ１０１と、一次吸水ポンプ１０１と連通して再び吸引・撹拌する二次吸水ポンプ１０２と、この二次吸水ポンプ１０２に連通して、種々の流速・水流を生起させて撹拌させる流速変動負荷発生筒部１０３とから構成され、かつ少なくとも上記一次吸水ポンプ１０１、二次給水ポンプ１０２又は流速変動負荷発生筒部１０３入口側に凝集剤注入弁１０４を設けた液状凝集剤注入撹拌装置がある（特許文献１参照。）。
【０００５】
【特許文献１】
特開２０００−１６７３０６号公報（要約書、第１図参照。）
【０００６】
【発明が解決しようとする課題】
しかしながら前記液状凝集剤注入撹拌装置は、濁水は凝集剤注入弁１０４より凝集剤が注入されながら、一次吸水ポンプ１０１内にて吸引・撹拌されて二次給水ポンプ１０２に送水される。この際に三方ボール弁１０５によって循環管１０６と連通管１０７とに分水され循環管１０６より再び一次吸水ポンプ１０１内に送水されることになる。
【０００７】
そして二次吸水ポンプ１０２へ送水される濁水は、再び凝集剤注入弁１０４より凝集剤が注入されながら二次吸水ポンプ１０２内にて吸引・撹拌されて流速変動負荷発生筒部１０３内に送水される。この際に三方ボール弁１０５によって循環管１０６と連通管１０７とに分水され循環管１０６より再び二次吸水ポンプ１０２内に送水されることになる。
【０００８】
このように濁水を一次吸水ポンプおよび二次吸水ポンプによって吸引・撹拌し、更に循環させながら流速変動負荷発生筒部によって撹拌することにより、密度の高い撹拌が可能となるものであるが、濁水を循環させながら撹拌させるために濁水の処理能力が従来の撹拌装置と比較して低下する問題がある。
【０００９】
また、一次吸水ポンプおよび二次吸水ポンプ並びに流速変動負荷発生筒部の主要部品の他に凝集剤収納タンクなどの附属設備から構成した撹拌ユニットとして大型化となり、工事現場までの搬送や設置が煩雑となる問題がある。
【００１０】
本発明は、以上の点に鑑みて創案されたものであって、小型化、かつ撹拌処理能力の優れた液状凝集剤注入撹拌装置を提供することを目的とするものである。
【００１１】
【課題を解決するための手段】
上記の目的を達成するために、本発明に係る液状凝集剤注入撹拌装置は、吸水ポンプによって吸水された被処理水に液状凝集剤を注入・撹拌する撹拌装置において、吸水される被処理水の流速・水流を変化させる撹拌生起部が、その内部に設けられる撹拌用筒部と、該撹拌用筒部の被処理水の流入側に連通状に接続され、かつ液状凝集剤注入管が連通状に設けられる吸水ホース継手管と、注入用ポンプにより前記液状凝集剤注入管に液状凝集剤を供給する液状凝集剤収納タンクと、前記撹拌用筒部の被処理水の流出側に連通状に接続され、かつ排水バルブが設けられた排水ホース継手管とを備える。
【００１２】
ここで、吸水ポンプによって吸水される被処理水は流速変動負荷発生筒に流入される前に液状凝集剤が添加される。そして流速変動負荷発生筒に設けた撹拌生起部によって被処理水の流速・水流が変化することで液状凝集剤が撹拌して懸濁物が凝集される。
【００１３】
【発明の実施の形態】
以下、本発明の実施の形態を図面を参酌しながら説明し、本発明の理解に共する。
【００１４】
図１に、本発明を適用した液状凝集剤注入撹拌装置の一例を説明するための正面説明図、図２に図１における側面説明図、図３は図１における要部説明図である。
ここで示す液状凝集剤注入撹拌装置１は、円筒形状の撹拌用筒部２と、この撹拌用筒部２の被処理水の流入側に連通状に連結される吸水ホース継手管３と、吸水ホース継手管３内へ接続される液状凝集剤注入管４と、この撹拌用筒部２に連通される液状凝集剤収納タンク５と、前記撹拌用筒部２の流出側に設けられる排水ホース継手管１５とから構成されるものである。
【００１５】
ここで示す吸水ホース継手管３には液状凝集剤収納タンク５内に収納される液状凝集剤を動力部６に設けられる注入ポンプ７およびこれらを接続するホース８によって必要量の液状凝集剤を撹拌用筒部２送り込むための液状凝集剤注入管４が設けられている。
この液状凝集剤注入管４は、本実施例では２本設けられており、２種類の液状凝集剤を同時に使用する場合に、それぞれの液状凝集剤注入管４より必要量の液状凝集剤を注入できる構成とするものである。
また、１種類のみの液状凝集剤を使用する場合にあっても、２本の液状凝集剤注入管４によって注入量の調整が幅広く行うことが可能となる。
なお、液状凝集剤収納タンク５は液状凝集剤の種類、あるいは液状凝集剤注入管４の数の応じて複数個設ける場合がある。
【００１６】
また、撹拌用筒部２内には図４に示すような被処理水の流速・水流を変化させる撹拌生起部９が内包される。この撹拌生起部９は中心軸１０に対して３枚の変流板１１の取付け角度が互いに異なるようにして装着されている。
【００１７】
そしてこれらの変流板１１には通水穴１２が貫設され、この通水穴１２に被処理水が通ることによって、被処理水に変流が生起され、その結果被処理水と液状凝集剤とがまんべんなく撹拌されることとなる。
【００１８】
更に、撹拌用筒部２の流入側端にはボルト・ナットによってフランジ１３が装着され、このフランジ１３の着脱によって撹拌生起部９の出し入れ自在とし、使用後の撹拌用筒部２内の清掃が容易に行える機構とするものである。
【００１９】
次に撹拌用筒部２の流出側には、排水バルブ１４、１４が設けられた排水ホース継手管１５が連通状に設けられるものである。この排水ホース継手管１５の排水バルブ１４の開閉を調整することによって被処理水の流速および処理量を調整する構成とするものである。
【００２０】
なお、液状凝集剤注入管は必ずしも２本設ける必要性は無く、液状凝集剤の種類、あるいは注入量に応じて１本、または３本など被処理水の状況および処理量に応じた本数とすることが望ましい。
【００２１】
また、撹拌用筒部内に内包される撹拌生起部は必ずしも３枚の変流板によって形成される必要性は無く、撹拌用筒部内で液状凝集剤と被処理水とが撹拌され、凝集した懸濁物が破壊されることなく流出されるものであれば、いかなる機構の撹拌生起部であってもかまわない。
【００２２】
以上の構成よりなる本発明の液状凝集剤注入撹拌装置では図５に示すように、造成工事や河川改修工事などによって排出される土壌などを含んだ被処理水Ａは、液状凝集剤注入撹拌装置１に近傍に設置される調整槽１６内にポンプ（図示せず。）によって集水される。
【００２３】
次に、液状凝集剤注入撹拌装置１の吸水ホース継手管３に、調整槽１６内に設置される吸水ポンプ１７と吸水ホース継手管３とがホース１８によって接続される。従ってこの吸水ポンプ１７によって調整槽１６内の被処理水Ａが吸水ホース継手管３より撹拌用筒部２内へ送り込まれる。
【００２４】
この際に吸水ホース継手管３に設けられる液状凝集剤注入管４より被処理水Ａの状況および処理量に応じて必要量の液状凝集剤が吸水ホース継手管３内に注入され、被処理水Ａと共に撹拌用筒部２内へ送り込まれる。
【００２５】
なお、液状凝集剤の注入は液状凝集剤収納タンク５内に収納される液状凝集剤を動力部６に設けられる注入ポンプ７によって一定量を注入し続ける機構とするものである。
【００２６】
次に、撹拌用筒部２内へ送り込まれる被処理水Ａは、撹拌生起部９の中心軸１０に対して３枚の変流板１１の取付け角度が互いに異なるようにして装着され、かつこれらの変流板１１に貫設され通水穴１２によって、被処理水に変流が生起され、その結果被処理水と液状凝集剤とがまんべんなく撹拌されることとなる。
【００２７】
そこで被処理水Ａと液状凝集剤との密度の高い撹拌によって凝集された懸濁物は微細に破壊されることなく、排水ホース継手管１５内へ流出される。そして排水ホース継手管１５に設けられる排水バルブ１４より排水ホース１９を通じて沈殿槽２０に送り込まれ、この沈殿槽２０内において凝集された懸濁物は沈降し、清水のみを河川などに放流する構成とするものである。
【００２８】
【発明の効果】
以上述べて来た如く本発明によれば、撹拌羽根による強制的撹拌ではなく、水流・流速を変化させることによって、凝集された懸濁物を微細に破壊することなく、密度の高い撹拌が可能となる。
【００２９】
また、吸水ポンプによって吸水される水圧を利用して撹拌を行うことによって従来のような撹拌羽根や動力を必要とせず、装置の小型化が図れることにより現場までの搬送や斜面への設置が容易に行えることとなる。
【図面の簡単な説明】
【図１】本発明を適用した液状凝集剤注入撹拌装置の一例を説明するための正面説明図である。
【図２】図１における側面説明図である。
【図３】本発明を適用した液状凝集剤注入撹拌装置の動力部の一例を示す説明図である。
【図４】本発明を適用した液状凝集剤注入撹拌装置の撹拌生起部の一例を示す説明図である。
【図５】本発明を適用した液状凝集剤注入撹拌装置による撹拌状態を示す説明図である。
【図６】本発明を適用した液状凝集剤注入撹拌装置による使用状態の一例を示す説明図である。
【図７】従来の液状凝集剤撹拌装置の一例を示す説明図である。
【符号の説明】
１      液状凝集剤注入撹拌装置
２      撹拌用筒部
３      吸水ホース継手管
４      液状凝集剤注入管
５      液状凝集剤収納タンク
６      動力部
７      注入ポンプ
８      ホース
９      撹拌生起部
１０    中心軸
１１    変流板
１２    通水穴
１３    フランジ
１４    排水バルブ
１５    排水ホース継手管
【図１】
2004358290.tif 000003
【図２】
2004358290.tif 000004
【図３】
2004358290.tif 000005
【図４】
2004358290.tif 000006
【図５】
2004358290.tif 000007
【図６】
2004358290.tif 000008
【図７】
2004358290.tif 000009